(57)【要約】【課題】清掃時のみ、清掃中の小便器に設置して清掃員の視線を遮ることのできる着脱自在の共用トイレの小便器清掃用目隠しパネルを提供する。【解決手段】水平杆１０と、水平杆１０の両端部にそれぞれ設けられる目隠し板２０，３０とを備えた共用トイレの小便器清掃用目隠しパネル。水平杆１０は、ステンレス製の断面コ字状の支持棒１を透明のビニールチューブ２内に通したものであり、小便器の天板部に置いた時の滑り止めと天板部表面の保護を図るようにしている。支持棒１の端部近傍には、小便器の天板部に水平杆１０を係止するための係止手段として、小便器の天板部を通して配管される給水管に引っ掛けるための引掛け手段となる鋼線３の端部が取り付けられており、鋼線３にはビニールパイプ４が被せられている。【選択図】  図１
2016211229.tif 000002
【特許請求の範囲】
【請求項１】
共用トイレの小便器の天板部に載置される水平杆と、前記水平杆の両端部にそれぞれ設けられる目隠し板とを有する共用トイレの小便器清掃用目隠しパネル。
【請求項２】
前記水平杆に、小便器の天板部に係止するための係止手段を設けた請求項１記載の共用トイレの小便器清掃用目隠しパネル。
【請求項３】
前記係止手段は、前記水平杆を、小便器の天板部を通して配管される給水管に引っ掛けるための引掛け手段である請求項２記載の共用トイレの小便器清掃用目隠しパネル。
【請求項４】
前記係止手段は、小便器の天板部に真空吸着する吸盤を前記水平杆に取り付けた吸着手段である請求項２記載の共用トイレの小便器清掃用目隠しパネル。
【請求項５】
前記両目隠し板は、前記水平杆の端部においてそれぞれ前記水平杆の内側に折り畳み可能である請求項１から４のいずれかの項に記載の共用トイレの小便器清掃用目隠しパネル。
【発明の詳細な説明】
【技術分野】
【０００１】
本発明は、公共施設、オフィスビル、高速道路のサービスエリア等に設置される共用トイレの男性用小便器を清掃員が清掃する際に、小便器使用者が不快にならないように清掃中の小便器に着脱可能に設置する目隠しパネルに関する。
【背景技術】
【０００２】
このような共用トイレでは、利用者が快適に利用できるように、定期的に清掃が行われるが、男性用小便器を清掃する際、トイレの入り口に「清掃中」の表示をして立入禁止とすれば清掃に支障はない。しかし、トイレが１箇所しかない場合や、別のトイレが遠い場合などに、使用禁止とすると利用者に不便であるため、トイレを利用できる状態で清掃を行うようにしている所が多い。
【０００３】
小便器を使用しようとしてトイレに入った場合に、清掃員が同じ列の小便器を清掃している時、特に、清掃員が女性の時に、小便器間に目隠し板が設置されていればさほど気にならないが、目隠し板がなければ、清掃員が見ていなくても見られている気がするし、清掃員も、自分が見ていると利用者に疑われるのではないかと気がかりであるなど、利用者も清掃員も気まずい。
【０００４】
時に、利用者から、施設の管理会社に、「女性清掃員が小便器を清掃しているそばで用を足さなくてはならなかった。」とクレームの電話が入ることがある。
【０００５】
特許文献１には、小便器を設置した壁面に、該壁面と略直交する方向に仕切板を設置した小便器設備が記載されており、さらに、仕切板の上部に着脱自在に目隠し板を設けることも開示されている。
【先行技術文献】
【特許文献】
【０００６】
【特許文献１】特開平９−２２８４５５号公報
【発明の概要】
【発明が解決しようとする課題】
【０００７】
しかしながら、小便器間を仕切板で固定的に仕切ることは、監視の死角となり安全上問題となることがあり、共用トイレでは好ましくない。特許文献１では、仕切板の上部に目隠し板を着脱自在に設けることが記載されているが、仕切板を固定的に設けていることが前提であり、仕切板を設けていない設備には利用できない。
【０００８】
そこで本発明は、清掃時のみ、清掃中の小便器に設置して清掃員の視線を遮ることのできる着脱自在の共用トイレの小便器清掃用目隠しパネルを提供することを目的とする。
【課題を解決するための手段】
【０００９】
前記課題を解決するため、本発明の共用トイレの小便器清掃用目隠しパネルは、共用トイレの小便器の天板部に載置される水平杆と、前記水平杆の両端部にそれぞれ設けられる目隠し板とを有することを特徴とする。
前記水平杆に、小便器の天板部に係止するための係止手段を設けることができる。
前記係止手段は、前記水平杆を、小便器の天板部を通して配管される給水管に引っ掛けるための引掛け手段とすることができる。
前記係止手段は、小便器の天板部に真空吸着する吸盤を前記水平杆に取り付けた吸着手段とすることができる。
前記両目隠し板は、前記水平杆の端部においてそれぞれ前記水平杆の内側に折り畳み可能とすることができる。
【発明の効果】
【００１０】
本発明によれば、共用トイレの小便器の天板部に載置される水平杆と、水平杆の両端部にそれぞれ設けられる目隠し板とを有する共用トイレの小便器清掃用目隠しパネルであるので、清掃時のみ、清掃中の小便器に設置して清掃員の視線を遮ることができ、小便器利用者も、清掃員も、視線を気にすることなく小便器の利用、および清掃作業を行うことができる。
【図面の簡単な説明】
【００１１】
【図１】本発明の実施の形態１に係る共用トイレの小便器清掃用目隠しパネルの全体を示す斜視図である。
【図２】本発明の実施の形態１における水平杆の構成を示す要部拡大斜視図である。
【図３】本発明の実施の形態１における鋼線の連設状態の拡大斜視図である。
【図４】本発明の実施の形態１の使用状態を示す斜視図である。
【図５】本発明の実施の形態１の蝶番構造を示す要部拡大斜視図である。
【図６】本発明の実施の形態１の折り畳み状態を示す斜視図である。
【図７】本発明の実施の形態１に係る共用トイレの小便器清掃用目隠しパネルを小便器へ設置しようとする状態の斜視図である。
【図８】本発明の実施の形態１に係る共用トイレの小便器清掃用目隠しパネルを小便器へ設置した状態の斜視図である。
【図９】本発明の実施の形態１に係る共用トイレの小便器清掃用目隠しパネルを使用した状態の視線を示す斜視図である。
【図１０】本発明の実施の形態１に係る共用トイレの小便器清掃用目隠しパネルを使用して清掃している状態の斜視図である。
【図１１】本発明の実施の形態１に係る共用トイレの小便器清掃用目隠しパネルを折り畳んで搬送しているときの斜視図である。
【図１２】本発明の実施の形態２に係る共用トイレの小便器清掃用目隠しパネルの全体を示す斜視図である。
【図１３】本発明の実施の形態２に係る共用トイレの小便器清掃用目隠しパネルを小便器へ設置した状態の斜視図である。
【発明を実施するための形態】
【００１２】
以下、本発明の実施の形態を、図面を参照しながら具体的に説明する。
図１〜図１１は、本発明の実施の形態１を示すものである。
【００１３】
図１は本発明の実施の形態１に係る共用トイレの小便器清掃用目隠しパネル（以下、単に「目隠しパネル」と言うことがある。）を示すものであり、水平杆１０と、水平杆１０の両端部にそれぞれ設けられる目隠し板２０，３０とを備えている。水平杆１０は、図１，図２に示すように、ステンレス製の断面コ字状の支持棒１を透明のビニールチューブ２内に通したものであり、磁器製または合成樹脂製の小便器の天板部に置いた時の滑り止めと天板部表面の保護を図るようにしている。
【００１４】
図３に示すように、支持棒１の端部近傍には、小便器の天板部に水平杆１０を係止するための係止手段として、小便器の天板部を通して配管される給水管に引っ掛けるための引掛け手段となる鋼線３の端部がリベットにより取り付けられており、鋼線３にはビニールパイプ４が被せられている。
【００１５】
目隠し板２０，３０は、２枚のフラットパネルの間に波板を挟み込んだプラスチックダンボール製であり、軽量化を図っている。目隠し板２０，３０の下方奥部には、後述の折り畳み時に手持ち部となる長穴２１，３１が設けられている。
【００１６】
以上の構成の水平杆１０の両側に目隠し板２０，３０を取り付けた目隠しパネルを、図４に示すように小便器４０の天板部４１の上に水平杆１０を載置することにより小便器４０の両側を覆うことができる。
【００１７】
図５は、水平杆１０と目隠し板２０（３０）を蝶番機構により折り畳み自在にした例を示すものであり、水平杆１０の支持棒１の端部に固定板５をリベット等で固定し、目隠し板２０（３０）にＬ字金具２２（３２）をリベット等で固定し、固定板５とＬ字金具２２（３２）とをヒンジピン６で回動自在に固定したものである。
【００１８】
このように水平杆１０と目隠し板２０，３０を蝶番機構により折り畳み自在とすることにより、図６に示すように水平杆１０に対して目隠し板２０，３０を折り畳んで平らにすることができ、保管時や移動に便利である。
【００１９】
図７は清掃時に目隠しパネルを開いて小便器４０の天板部４１に水平杆１０を載置しようとする時の説明図である。
【００２０】
小便器４０の天板部４１に水平杆１０を載置後、図８に示すように水平杆１０の支持棒１に連設されている鋼線３を、小便器４０の天板部４１を通して配管される給水管４２に引っ掛けて水平杆１０が落ちないように固定する。
【００２１】
図９は、本実施の形態の目隠しパネルを使用して小便器４０を清掃している状態を示すものであり、目隠し板２０，３０が清掃員の視線を隠しているため、隣の小便器４０を使用している利用者の下半身は見えない。そのため、隣の小便器４０の利用者から声を掛けられて返事や会話をする際も、目線は利用者の肩から上くらいであるため、安心である。
【００２２】
図１１は、清掃後、目隠しパネルを折り畳んで運んでいる状態を示している。
【００２３】
図１２，図１３は本発明の実施の形態２に係る目隠しパネルを示すものである。実施の形態１では小便器４０の天板部４１に水平杆１０を係止するための係止手段として、給水管４２に引っ掛けるための鋼線３の端部を取り付けた例を示したが、この実施の形態２では、小便器４０の天板部４１に水平杆１０を係止するための係止手段として、吸盤７を用い、支持棒１と吸盤７を鎖８で連結した構成としたものである。
【００２４】
本実施の形態２では、図１３に示すように、水平杆１０を小便器４０の天板部４１に載置した後、吸盤７を天板部４１の任意の位置に吸着させることにより、目隠しパネルが容易に脱落しないように固定する。
その他の作用効果は実施の形態１と同様であるので説明を省略する。
【産業上の利用可能性】
【００２５】
本発明は、清掃時のみ、清掃中の小便器に設置して清掃員の視線を遮ることができ、小便器利用者も、清掃員も、視線を気にすることなく小便器の利用、および清掃作業を行うことができる共用トイレの小便器清掃用目隠しパネルとして、公共施設、オフィスビル、高速道路のサービスエリア等に設置される共用トイレの清掃サービスに好適に利用することができる。
【符号の説明】
【００２６】
１  支持棒
２  ビニールチューブ
３  鋼線（引っ掛け手段）
４  ビニールパイプ
５  固定板
６  ヒンジピン
７  吸盤
８  鎖
１０  水平杆
２０，３０  目隠し板
２１，３１  長穴
２２，３２  Ｌ字金具
４０  小便器
４１  天板部
４２  給水管
【図１】
2016211229.tif 000003
【図２】
2016211229.tif 000004
【図３】
2016211229.tif 000005
【図４】
2016211229.tif 000006
【図５】
2016211229.tif 000007
【図６】
2016211229.tif 000008
【図７】
2016211229.tif 000009
【図８】
2016211229.tif 000010
【図９】
2016211229.tif 000011
【図１０】
2016211229.tif 000012
【図１１】
2016211229.tif 000013
【図１２】
2016211229.tif 000014
【図１３】
2016211229.tif 000015